(57)【要約】【課題】製品の大型化や価格上昇なく、レンズ交換時の投射表示装置外への光漏洩と、電気部品や記憶情報の破損を防止することを可能にした投射表示装置の交換レンズシステムを提供すること。【解決手段】光を生成する光源と、光源からの光を検出する光検出センサと、投射表示装置に対し、着脱可能に構成され、任意の画像を投射する投射手段と、投射手段の制御、情報の記憶の少なくとも一方を可能とする投射側電気基板と、投射手段の投射表示装置本体からの着脱を検知する為の着脱検知手段と、投射表示装置本体の制御を行う本体側制御基板と、投射側電気基板と本体側制御基板との電気的な接続がなされる電気接続部と、を有する投射表示装置において、着脱検知手段からの投射手段取り外しの検出信号により、光源を消灯するとともに、光検出センサで光源の消灯を検知した後、電気接続部が接触中に本体制御基板と投射側基板との通信を終了することを特徴とする構成とした。【選択図】図１
2020008709.tif 000002
【特許請求の範囲】
【請求項１】
光を生成する光源と、
光源からの光を検出する光検出センサと、
投射表示装置に対し、着脱可能に構成され、任意の画像を投射する投射手段と、
投射手段の制御、情報の記憶の少なくとも一方を可能とする投射側電気基板と、
投射手段の投射表示装置本体からの着脱を検知する為の着脱検知手段と、
投射表示装置本体の制御を行う本体側制御基板と、
投射側電気基板と本体側制御基板との電気的な接続がなされる電気接続部と、
を有する投射表示装置において、
着脱検知手段からの投射手段取り外しの検出信号により、光源を消灯するとともに、
光検出センサで光源の消灯を検知した後、電気接続部が接触中に本体制御基板と投射側基板との通信を終了することを特徴とする投射表示装置。
【請求項２】
着脱検知手段は、投射手段の取り外し作業の開始から、電気接続部が物理的に離れるまでの間に検知を行うことを特徴とする請求項１に記載の投射表示装置。
【請求項３】
投射手段の着脱マウントはスピゴット式のマウントにより構成されることを特徴とする請求項１に記載の投射表示装置。
【請求項４】
着脱検知手段はインターロックスイッチであることを特徴とする請求項１に記載の投射表示装置。
【請求項５】
光源は固体光源により構成されることを特徴とする請求項１に記載の投射表示装置。
【発明の詳細な説明】
【技術分野】
【０００１】
本発明は、投射表示装置の制御に関し、特に投射表示装置本体と交換レンズに関連する制御に関する。
【背景技術】
【０００２】
近年、投射表示装置は、高輝度化や、レーザー光源へ移行等が進んでいる。その為、交換レンズを取り外した際は、使用者の目に光が到達することを防止することが好ましい。
【０００３】
また、交換レンズを高度に制御する為、交換レンズ側にマイコンやメモリを搭載した電気基板を有する製品がある。上記の製品では、投射表示装置本体と交換レンズ間で通信を行い、所望の制御を実施するが、通信途中に意図せずレンズ交換が実施され、通信が瞬断された場合、内部部品や記憶情報の破損等が生じる懸念がある。
【０００４】
投射表示装置外部への光漏洩の観点で、特許文献１には投射表示装置外へのレーザー光の外部漏洩を防止する提案がなされている。
【先行技術文献】
【特許文献】
【０００５】
【特許文献１】特開２０１５−６４６１１号公報
【発明の概要】
【発明が解決しようとする課題】
【０００６】
しかしながら、上記の特許文献１に開示された従来技術では、蛍光体の破損に起因する外部へのレーザー光の漏洩を防止することが可能であるが、レンズ交換時の光漏洩や、通信中の瞬断による電気部品や記憶情報の破損を解決することはできない。
【０００７】
また、レンズ交換時に、光が外部に漏れぬよう確実に消灯させようとした場合、インターロックスイッチを用いることが好ましいが、インターロックスイッチの検知信号を利用して電気的な通信を終了する様な制御は困難である。その為、電気部品や記憶情報の破損を回避する為には、レンズ周辺部に別途センサを設ける必要がある。破損の回避のためにはレンズの取り外し完了の前段（電気通信の為のコネクタ等、物理的な接触が保たれている間）での検知が必要で、センサの配置には特段の考慮が必要となる。この為、実現に際しては、製品サイズの大型化、コスト上昇を招く。
【０００８】
そこで、本発明の目的は、製品の大型化や価格上昇なく、レンズ交換時の投射表示装置外への光漏洩と、電気部品や記憶情報の破損を防止することを可能にした投射表示装置の交換レンズシステムを提供することである。
【課題を解決するための手段】
【０００９】
上記の目的を達成するために、本発明に係る投射表示装置は、
光を生成する光源と、
光源からの光を検出する光検出センサと、
投射表示装置に対し、着脱可能に構成され、任意の画像を投射する投射手段と、
投射手段の制御、情報の記憶の少なくとも一方を可能とする投射側電気基板と、
投射手段の投射表示装置本体からの着脱を検知する為の着脱検知手段と、
投射表示装置本体の制御を行う本体側制御基板と、
投射側電気基板と本体側制御基板との電気的な接続がなされる電気接続部と、
を有する投射表示装置において、
着脱検知手段からの投射手段取り外しの検出信号により、光源を消灯するとともに、
光検出センサで光源の消灯を検知した後、電気接続部が接触中に本体制御基板と投射側基板との通信を終了することを特徴とする。
【発明の効果】
【００１０】
本発明に係る投射表示装置によれば、製品の大型化や価格上昇なく、レンズ交換時の投射表示装置外への光漏洩と、電気部品や記憶情報の破損を防止することを可能にした投射表示装置の交換レンズシステムを提供することができる。
【図面の簡単な説明】
【００１１】
【図１】本発明の全体概略構成を示す図
【図２】本発明の投射レンズを示す図
【図３】本発明の本体側マウント周辺部を示す図
【図４】本発明の投射レンズ取り外し検知を説明する図
【発明を実施するための形態】
【００１２】
以下に、本発明の好ましい実施の形態を、添付の図面に基づいて詳細に説明する。
【００１３】
図１は、本発明の実施形態にかかわる全体概略構成を示す図である。
【００１４】
１は光源ユニット。光源ユニット１は、内部にレーザー光源と蛍光体を有し、光を生成する。光源ユニット１から射出された光は、全反射ミラー８で反射されて色分離合成光学系９に入射する。色分離合成光学系９では、赤、緑、青の各波長帯域の光にそれぞれ分光され、図示せぬ液晶パネルで色毎に任意の画像を生成した後、再度、各色が合成される。色分離合成光学系９から射出された光は、着脱可能に構成された投射レンズ２によって図示せぬスクリーンへ投射される。上記の光の経路を示すのが、長点線で示す光経路１４である。
【００１５】
投射レンズ２は、投射レンズ各部を制御、また、固有の情報を格納するレンズ基板３を有する。投射表示装置本体１１と投射レンズ２との着脱状況は、インターロックスイッチ４により検知される。投射レンズ２と投射表示装置本体１１は、上記間で物理的な接続がなされる投射レンズ−投射表示装置電気接続コネクタ７により電気的な通信が可能となる。
【００１６】
インターロックスイッチ４で投射レンズ２が取り外されたことを検知すると、光源駆動制御基板１０で信号を検知し、その信号を受けて光源ユニット１を消灯する。上記の電気経路を示すのが、点線で示す光源消灯電気経路１２である。
【００１７】
光源ユニット１が消灯すると、全反射ミラー８の裏側で、光経路１４上の漏れ光を検出する光検出センサ６で消灯を検知する。光検出センサ６で光源ユニット１の消灯を検知すると本体制御基板５で信号を認識し、投射レンズ−投射表示装置電気接続コネクタ７を介して行われる、レンズ基板３との通信を終了する。上記の電気経路を示すのが、太線で示す投射レンズ−投射表示装置通信遮断電気経路１３である。投射表示装置１１は上記の構成を格納する。
【００１８】
図２は、本発明の実施形態にかかわる本発明の投射レンズを示す図である。図２の［Ａ］と［Ｂ］はそれぞれ観察する位置の違いによる。
【００１９】
７０１ は、投射レンズ−投射表示装置電気接続コネクタ７の内、レンズ側のコネクタである、投射レンズ側コネクタ７０１である。２０１は、投射レンズ２の一部を構成し、投射表示装置本体１１と接続する為の投射レンズ側マウント２０１である。
【００２０】
図３は、本発明の実施形態にかかわる本発明の本体側マウント周辺部を示す図である。
【００２１】
１１１は、投射表示装置本体１１内部に構成され、投射レンズ２が取り付けられる際のベース部材となるマウント固定板１１１である。マウント固定板１１１には、先に説明の投射レンズ側マウント２０１と対をなし、投射レンズ２を投射表示装置本体１１に接続する為の本体側マウント１１２が構成される。マウント固定板１１１に対し、本体側マウント１１２は回転可能に構成され、投射レンズ側マウント２０１と本体側マウント１１２でスピゴット式マウントを構成する。本体側マウント１１２を回転させることで投射レンズ２の着脱が可能となるが、本体側マウント１１２の回転を検知し、着脱を検知する為の手段がインターロックスイッチ４である。マウント固定板１１１には、先に説明の投射コネクタ７０１と対をなし、投射レンズ２の装着時にレンズ基板３と本体側基板５との間で通信を可能とする為の本体側コネクタ７０２が構成される。
【００２２】
図４は、本発明の実施形態にかかわる本発明の投射レンズ取り外し検知を説明する図である。
【００２３】
２０１１は投射レンズ側マウント２０１の一部をカットし、スピゴット式マウントでのレンズ取り外しが説明しやすくした部品である。
【００２４】
図４の［Ａ］は、スピゴット式マウントで投射レンズ２が固定されている状態を示す。四角で囲った部分に着目すると、投射レンズ側マウント２０１と本体側マウント１１２がかみ合っており、紙面奥行き方向への移動が規制されている。この際、丸で囲った部分を見ると、インターロックスイッチ４の腕部は、本体側マウント１１２と接しておらず何も検知していない。
【００２５】
図４の［Ｂ］は、スピゴット式マウントで投射レンズ２の取り外しが開始された状態を示す。図４の［Ａ］の状態よりも本体側マウント１１２が反時計回りに回転し始めている。四角で囲った部分に着目すると、投射レンズ側マウント２０１と本体側マウント１１２がまだかみ合っており、紙面奥行き方向への移動は規制されている。この際、丸で囲った部分を見ると、インターロックスイッチ４の腕部は、本体側マウント１１２と接し、レンズ取り外し作業の開始を検知できる（投射レンズ２自体の取り外しはされない状態で）。
【００２６】
図４の［Ｃ］は、スピゴット式マウントで投射レンズ２の取り外しが可能な状態を示す。図４の［Ｂ］の状態よりも本体側マウント１１２が更に反時計回りに回転している。四角で囲った部分に着目すると、投射レンズ側マウント２０１と本体側マウント１１２のかみあいがなくなり、紙面奥行き方向への移動規制が無くなっている。つまり、投射レンズ２の取り外しが可能な状態である。この際、丸で囲った部分を見ると、図４の［Ｂ］と同様に、インターロックスイッチ４の腕部は、本体側マウント１１２と接し、レンズ取り外し作業の検知を継続している。
【００２７】
［実施例］
以下、図１から４を参照して、本発明の実施例による、投射レンズの取り外しから、投射レンズと投射表示装置本体との通信終了まで、について説明する。
【００２８】
発明を実施するための形態の図４での説明の通り、スピゴット式マウントの本体側マウント１１２の回転を検知することで、投射レンズ２は外れてないが、投射レンズ２を外そうとしている状態（図４の［Ｂ］）をインターロックスイッチ４で検出できる。この、投射レンズ２を外そうとしているが、まだ外れない状態（レンズ基板３と本体側制御基板５とで通信が可能な状態）、をインターロックスイッチ４で検知し、先に説明の通り、光源ユニット１を消灯する。これにより、投射レンズ２が投射表示装置本体１１の光源ユニット１が点灯状態で外されて、光が外に漏洩することを防止することができる。
【００２９】
更に、この状態（レンズ基板３と本体側制御基板５とで通信が可能な状態）で、光検出センサ６で光源ユニット１の消灯を検知し、図４の［Ｃ］に至る前に通信を終了することで、通信中に瞬断されることによる電気部品や記憶情報の破損を防止できる。上記のシステムの構築の為、特別に光検出センサ６を構成しなくても、レーザー光源を使用する場合、色バランスを調整する為に、光センサが投射表示装置内部に配置されることが多い為、これを利用することができる。
【００３０】
上記により、投射レンズ装着部近傍に複数のセンサを配置することなく、レンズ交換時の投射表示装置外への光漏洩と、電気部品や記憶情報の破損を防止することを可能にした投射表示装置の交換レンズシステムを提供することができる。これにより製品の大型化や価格上昇を回避できる。
【００３１】
以上、本発明の好ましい実施形態について説明したが、本発明はこれらの実施形態に限定されず、その要旨の範囲内で種々の変形及び変更が可能である。
【００３２】
例えば、実施例では、光源をレーザー光源として説明しているが、これに限定されず、ＬＥＤやランプでもよい。
【００３３】
また、光検出センサは、全反射ミラーの漏れ光を検出する位置で説明したが、場所の限定は無く、光路中にあっても良く、また、色分離合成系内のプリズム端面の漏れ光を検出しても良く、更には、撮像手段で検出しても良い。更に、光センサは投射表示装置内部に配置しなくてもよく、例えば、スクリーン上に設置して、投射表示装置の制御基板と通信することで検知を行ってもよい。
【００３４】
更に、レンズマウントはスピゴットマウントに限定されず、バヨネットマウントでも電気的通信が可能な状態で、レンズの交換開始を検知することができればよい（例えば、レンズ側に突起を構成して、回転による突起の移動をセンサで検知する）。
【符号の説明】
【００３５】
１  光源ユニット、２  投射レンズ、２０１  投射レンズ側マウント、
２０１１  投射レンズ側マウント断面、３  レンズ基板、
４  インターロックスイッチ、５  本体制御基板、６  光検出センサ、
７  投射レンズ−投射表示装置電気接続コネクタ、
７０１  投射レンズ側コネクタ、７０２  本体側コネクタ、
８  全反射ミラー、９  色分離合成光学系、１０  光源駆動制御基板、
１１  投射表示装置本体、１１１  マウント固定板、１１２  本体側マウント、
１２  光源消灯電気経路、
１３  投射レンズ−投射表示装置通信遮断電気経路、
１４  光経路
【図１】
2020008709.tif 000003
【図２】
2020008709.tif 000004
【図３】
2020008709.tif 000005
【図４】
2020008709.tif 000006